(57)【特許請求の範囲】
【請求項１】
光学エンジンと、
一端が前記光学エンジンに接続されたレンズスリーブと、
前記レンズスリーブが回転できるように前記レンズスリーブを支承する支承構造とを備え、
前記支承構造は、
前記レンズスリーブを支承するように凹状になっている、少なくとも一つの支承フレームと、
前記支承フレームに設けられ、前記レンズスリーブに接触して前記レンズスリーブを支承する複数のローラーとを備えており、
前記レンズスリーブは、前記複数のローラーを介して前記支承フレームに対し回転可能となっていることを特徴とするプロジェクタ。
【請求項２】
前記支承構造は、前記支承フレームに設けられ、前記複数のローラーを前記レンズスリーブに対して押圧する、複数の弾性体を更に備えたことを特徴とする請求項１に記載のプロジェクタ。
【請求項３】
光学エンジンと、
一端が前記光学エンジンに接続されたレンズスリーブと、
前記レンズスリーブが回転できるように前記レンズスリーブを支承する支承構造とを備え、
前記支承構造は、前記レンズスリーブを支承するように凹状になっている、少なくとも一つの支承フレームを備えており、
前記支承フレームは、その弾性を向上させるために複数の湾曲リブを備えたことを特徴とするプロジェクタ。
【請求項４】
前記支承構造は、前記支承フレームに固定された少なくとも一つのパッドを更に備えており、前記パッドは、前記レンズスリーブが回転時に前記パッドを擦るように、前記レンズスリーブに接触することを特徴とする請求項３に記載のプロジェクタ。
【請求項５】
光学エンジンと、アーチ形側壁および長手方向の軸を備え、一端が前記光学エンジンに接続されたレンズスリーブとを備えたプロジェクタの支承構造であって、
前記プロジェクタの支承構造は、
前記レンズスリーブを収納する空間を規定する支承フレームと、
前記支承フレームに設けられ、前記レンズスリーブが前記長手方向の軸を軸心として回転できるように、前記レンズスリーブの前記側壁を支承する接触機構と、
前記支承フレームと前記接触機構との間に配置された弾性部材と
を備えたことを特徴とするプロジェクタの支承構造。
【請求項６】
前記弾性部材は、金属製の弾性体であることを特徴とする請求項５に記載のプロジェクタの支承構造。
【請求項７】
前記弾性部材は、前記支承フレームに一体成形された湾曲リブであることを特徴とする請求項５に記載のプロジェクタの支承構造。
【発明の詳細な説明】
【０００１】
【発明の属する技術分野】
本発明はプロジェクタの支承構造に関するものである。
【０００２】
【従来の技術】
図７に示されるように、従来のレンズスリーブ１２の一端は、ネジ１１により光学エンジン１０に固定されており、このように光学エンジン１０から伸びているレンズスリーブ１２は、片持ち梁のような構造をなしている。操作時、レンズスリーブ１２は、回転することにより焦点又はズームを調整する。
【０００３】
レンズスリーブ１２は、その重量に起因して撓む。上記支承構造は、レンズスリーブ１２が小さいときには、そのレンズスリーブ１２をしっかりと支承することができる。しかしながら、大きいレンズスリーブは著しく撓むため、そのレンズスリーブのレンズは所定の位置から外れてしまうおそれがあり、したがって、このようなレンズスリーブにおいては焦点を調整するのが難しい。更に深刻になると、レンズスリーブ１２は、焦点やズームの調整のための回転ができなくなる。
【０００４】
【発明が解決しようとする課題】
本発明は、レンズスリーブが自在に回転できるように、レンズスリーブが撓むのを防止すべく、プロジェクタの支承構造を改善することを目的とする。
【０００５】
【課題を解決するための手段】
本発明のプロジェクタは、光学エンジンと、レンズスリーブと、支承構造とを備えている。レンズスリーブは、片持ち梁のように、その一端が光学エンジンに接続されている。支承構造は、レンズスリーブが回転できるように、ローラー又はパッドを介してレンズスリーブを支承している。
【０００９】
すなわち、本発明のプロジェクタは、光学エンジンと、一端が前記光学エンジンに接続されたレンズスリーブと、前記レンズスリーブが回転できるように前記レンズスリーブを支承する支承構造とを備え、前記支承構造は、前記レンズスリーブを支承するように凹状になっている、少なくとも一つの支承フレームと、前記支承フレームに設けられ、前記レンズスリーブに接触して前記レンズスリーブを支承する複数のローラーとを備えており、前記レンズスリーブは、前記複数のローラーを介して前記支承フレームに対し回転可能となっていることを特徴とする（請求項１）。
【００１０】
上記発明（請求項１）において、前記支承構造は、前記支承フレームに設けられ、前記複数のローラーを前記レンズスリーブに対して押圧する、複数の弾性体を更に備えているのが好ましい（請求項２）。
【００１１】
また、本発明のプロジェクタは、光学エンジンと、一端が前記光学エンジンに接続されたレンズスリーブと、前記レンズスリーブが回転できるように前記レンズスリーブを支承する支承構造とを備え、前記支承構造は、前記レンズスリーブを支承するように凹状になっている、少なくとも一つの支承フレームを備えており、前記支承フレームは、その弾性を向上させるために複数の湾曲リブを備えたことを特徴とする（請求項３）。
【００１２】
上記発明（請求項３）において、前記支承構造は、前記支承フレームに固定された少なくとも一つのパッドを更に備えており、前記パッドは、前記レンズスリーブが回転時に前記パッドを擦るように、前記レンズスリーブに接触するのが好ましい（請求項４）。
【００１４】
さらに、本発明のプロジェクタの支承構造は、光学エンジンと、アーチ形側壁および長手方向の軸を備え、一端が前記光学エンジンに接続されたレンズスリーブとを備えたプロジェクタの支承構造であって、前記プロジェクタの支承構造は、前記レンズスリーブを収納する空間を規定する支承フレームと、前記支承フレームに設けられ、前記レンズスリーブが前記長手方向の軸を軸心として回転できるように、前記レンズスリーブの前記側壁を支承する接触機構と、前記支承フレームと前記接触機構との間に配置された弾性部材とを備えたことを特徴とする（請求項５）。
【００１８】
上記発明（請求項５）において、前記弾性部材は、金属製の弾性体であるのが好ましい（請求項６）。
【００１９】
上記発明（請求項５）において、前記弾性部材は、前記支承フレームに一体成形された湾曲リブであってもよい（請求項７）。
【００２０】
【発明の実施の形態】
上述した本発明の目的、特徴及び長所をより一層明瞭にするため、以下に本発明の好ましい実施の形態を挙げ、図を参照してさらに詳しく説明する。
【００２１】
〔第一実施形態〕
図１は本発明の第一実施形態によるプロジェクタの構造を示す図である。本実施形態において、レンズスリーブ２２は光学エンジン２０にねじ込まれており、レンズスリーブ２２は、自身の重量によって撓むのを防ぐために、支承構造２３により支承されている。
【００２２】
本実施形態の支承構造２３は、上部レンズ支承フレーム２３１と下部レンズ支承フレーム２３２とを備えている。上部レンズ支承フレーム２３１及び下部レンズ支承フレーム２３２は、それらによってレンズスリーブ２２を保持できるように、それぞれ半円形となっている。
【００２３】
図２に示されるように、下部レンズ支承フレーム２３２は、本体２３２１とカバー２３２２を備えている。本体２３２１には、２つの収納部２３２５が設けられている。本体２３２１とカバー２３２２とは、２つの弾性体２３２３及びローラー２３２４を本体２３２１の収納部２３２５に配置するようにして、ネジ２３２９により固定される。このとき、ネジ２３２９は、カバー２３２２の孔２３２９'から孔２３２９"にねじ込まれて、本体２３２１とカバー２３２２とを互いに固定する。
【００２４】
更に、本体２３２１には、収納部２３２５に通じる２つのスリット２３２７，２３２７'が設けられている。本体２３２１の収納部２３２５には、溝孔２３２６が設けられており、一方、カバー２３２２には、本体２３２１の溝孔２３２６に対応するようにスロット２３２８が設けられている。
【００２５】
組立時においては、弾性体２３２３の両端がそれぞれスリット２３２７，２３２７'に嵌合することにより、弾性体２３２３は固定される。ローラー２３２４のシャフトは、その一端が溝孔２３２６に配置されるとともに、他端がスロット２３２８に配置され、弾性体２３２３はローラー２３２４を押圧する（予圧）。
【００２６】
図３に示されるように、上部レンズ支承フレーム２３１は、下部レンズ支承フレーム２３２とほぼ同様の形状をなしている。上部レンズ支承フレーム２３１は、ネジ２３１９により固定された本体２３１１とカバー２３１２とを備えている。弾性体２３１３及びローラー２３１４は収納部２３１５に収納され、弾性体２３１３はローラー２３１４に予圧を印加する。弾性体２３１３は、例えば金属等から構成される。
【００２７】
上部レンズ支承フレーム２３１は、上部レンズ支承フレーム２３１のピン２３１０を下部レンズ支承フレーム２３２の孔２３２０に嵌挿することにより、下部レンズ支承フレーム２３２と位置合わせされる。そして、ネジ（図示しない）が孔２３１０'２３２０'にねじ込まれて、上部レンズ支承フレーム２３１と下部レンズ支承フレーム２３２とが互いに固定される。
【００２８】
図４に示されるように、上部ローラー２３１４及び下部ローラー２３２４は、弾性体２３１３，２３２３により押圧されて、レンズスリーブ２２を支承する。操作時、上部ローラー２３１４及び下部ローラー２３２４は、レンズスリーブ２２の回転に従って回転する。
【００２９】
〔第二実施形態〕
図５は本発明の第二実施形態によるプロジェクタの支承構造を示す図である。支承構造６３は、上部レンズ支承フレーム６３１と下部レンズ支承フレーム６３２とを備えている。上部レンズ支承フレーム６３１及び下部レンズ支承フレーム６３２は、それらによってレンズスリーブ６２を保持できるように、それぞれ凹状となっている。
【００３０】
図６に示されるように、上部レンズ支承フレーム６３１及び下部レンズ支承フレーム６３２は一体成形の部材であり、それらに形成された孔部を通過するようにして形成された複数の湾曲リブ６３１１，６３２１により、上部レンズ支承フレーム６３１及び下部レンズ支承フレーム６３２の弾性を向上させている。
【００３１】
上部レンズ支承フレーム６３１及び下部レンズ支承フレーム６３２の各々には、レンズスリーブ６２に接触するようにパッド６３１２，６３２２が接着されている。パッド６３１２，６３２２は、摩擦係数の低い材料からなる。操作時、回転しているレンズスリーブ６２は、パッド６３１２，６３２２を支障なく直接擦る。
【００３２】
以上のように、本実施形態は、レンズスリーブの撓みが防止され、レンズスリーブの回転のロックがない、改善された支承構造を提供する。これにより、従来の問題は効果的に解決される。
【００３３】
本明細書では、好ましい実施形態を前述の通り開示したが、これらは決して本発明を限定するものではなく、当該技術を熟知する者なら誰でも、本発明の精神と領域を逸脱しない範囲内で各種の変更や改良を加えることができ、従って本発明の保護範囲は、特許請求の範囲で規定した内容を基準とする。
【００３４】
【発明の効果】
本発明によれば、レンズスリーブの撓みが防止され、レンズスリーブが自在に回転できるようになる。
【図面の簡単な説明】
【図１】本発明の第一実施形態によるプロジェクタの構造を示す斜視図である。
【図２】図１の支承構造の下部レンズ支承フレームを示す分解図である。
【図３】図１の支承構造の上部支承フレームを示す分解図である。
【図４】図１のV-Vに沿った断面図である。
【図５】本発明の第二実施形態によるプロジェクタの構造を示す斜視図である。
【図６】図５のVII−VIIに沿った断面図である。
【図７】プロジェクタの従来の支承構造を示す概略図である。
【符号の説明】
１０，２０…光学エンジン
１１，２３１９，２３２９…ネジ
１２，２２，６２…レンズスリーブ
２３，６３…支承構造
２３１，６３１…上部レンズ支承フレーム
２３２，６３２…下部レンズ支承フレーム
２３１０…ピン
２３１０，２３２０'…孔
２３１１，２３２１…本体
２３１２，２３２２…カバー
２３１３，２３２３…弾性体
２３１４，２３２４…ローラー
２３１５，２３２５…収納部
２３２６…溝孔
２３２７，２３２７'…スリット
２３２８…スロット
２３２９'，２３２９"…孔
６３１１，６３２１…湾曲リブ
６３１２，６３２２…パッド
【図１】
0003899389.tif 000002
【図２】
0003899389.tif 000003
【図３】
0003899389.tif 000004
【図４】
0003899389.tif 000005
【図５】
0003899389.tif 000006
【図６】
0003899389.tif 000007
【図７】
0003899389.tif 000008